(57)【要約】【課題】  持ち運びに便利で通常のタバコケースと同じ流通経路におくことが可能な吸殻入れ付きタバコケースを提供することを目的とする。【解決手段】  複数の紙巻タバコを並べてタバコケース本体に収納するタバコケースにおいて、前記タバコケース本体１の側面４に１辺が側面幅より少し短い四角形の吸殻投入口５を設け、前記吸殻投入口５に連通して該タバコケース本体１の内部に折りたたみ可能な薄い難燃性の袋体の吸殻収納部６を設け、更に、前記投入口５には密閉できる開閉蓋11を設けた吸い殻入れ付きタバコケースであることを特徴とする。【選択図】図１
2005102679.tif 000002
【特許請求の範囲】
【請求項１】
複数の紙巻タバコを並べてタバコケース本体に収納するタバコケースにおいて、前記タバコケース本体の側面に吸殻投入口を設け、前記吸殻投入口に連通して該タバコケース本体の内部に吸殻収納部を設けたことを特徴とするタバコケース。
【請求項２】
前記吸殻投入口に開閉蓋を設けたことを特徴とする請求項１記載のタバコケース。
【請求項３】
前記吸殻収納部は袋体であって、幅が前記側面の幅とほぼ同じであり、折りたたみ可能であって、薄く難燃性を有する素材からなることを特徴とする請求項１又は２記載のタバコケース。
【請求項４】
前記開閉蓋の幅がタバコの直径よりやや大きいことを特徴とする請求項２又は３記載のタバコケース。
【請求項５】
複数の紙巻タバコを並べてタバコケース本体に収納するタバコケースにおいて、上部が開口している吸殻収納部を前記タバコケース側面の内側に設けたことを特徴とするタバコケース。
【請求項６】
前記吸殻収納部は幅が前記側面の幅とほぼ同じであり、折りたたみ可能であって、薄く難燃性を有する素材からなることを特徴とする請求項５記載のタバコケース。
【請求項７】
前記吸殻収納部の上端開口部に保持及び解除可能な留め具を設けたことを特徴とする請求項５又は６記載のタバコケース。
【発明の詳細な説明】
【技術分野】
【０００１】
本発明は、複数の紙巻タバコを並べて収納するタバコケースに関し、特に吸殻入れを備えたことを特徴とするタバコケースに関するものである。
【背景技術】
【０００２】
従来、喫煙者が灰皿のない場所で喫煙をする場合、例えば、歩行中やあるいは、スキー場またはゴルフ場などで、スポーツを楽しみながら喫煙をする場合に、吸殻をポイ捨てしないようにするには、自ら携帯用の灰皿を常に持ち歩く必要あった。また、携帯用の灰皿を忘れた場合や、備え付けの灰皿が見つからない場合には、吸殻の処理に困って、時には道端に捨てることになり、美観、生活環境を損なうほか、他人に迷惑をかけ、環境の汚染につながるなどの問題を生じていた。
【０００３】
そこで、こうした問題に対処するために、図８に示されるような、タバコケース101に吸殻入れ102を一体化したものが提案されている（例えば、特許文献１）。
【特許文献１】実開平１−１７２３９７
【発明の開示】
【発明が解決しようとする課題】
【０００４】
しかしながら、上述の特許文献１に開示された灰皿付きタバコケース101を用いても、通常のタバコケースよりも大柄になるため、持ち運びに便利とはいえなかった。また、通常のタバコケースよりも大きいため、既存の自動販売機で販売することはできず、自動販売機による流通を図ることは困難であるという懸念があった。
【０００５】
そこで、本発明は上記のような従来の問題点に鑑みて、持ち運びに便利で通常のタバコケースと同じ流通経路におくことが可能な吸殻入れ付きタバコケースを提供することを目的とする。
【課題を解決するための手段】
【０００６】
上記目的を達成するために、本発明に係るタバコケースは、複数の紙巻タバコを並べてタバコケース本体に収納するタバコケースにおいて、前記タバコケース本体の側面に吸殻投入口を設け、前記吸殻投入口に連通して該タバコケース本体の内部に吸殻収納部を設けたことを特徴とする。
【０００７】
また、前記投入口に開閉蓋を設けてもよい。
【０００８】
また、前記収納部は袋体であって、幅が前記側面の幅とほぼ同じであり、折りたたみ可能であって、薄く難燃性を有する素材からなるものであってもよい。
【０００９】
ここで、前記開閉蓋の幅がタバコの直径よりやや大きいものであってもよい。
【００１０】
また、本発明に係るタバコケースは、複数の紙巻タバコを並べてタバコケース本体に収納するタバコケースにおいて、上部が開口している吸殻収納部を前記タバコケース側面の内側に設けたことを特徴とする。
【００１１】
また、前記収納部は幅が前記側面の幅とほぼ同じであり、折りたたみ可能であって、薄く難燃性を有する素材からなるものであってもよい。
【００１２】
また、前記吸殻収納部の上端開口部にファスナを設けてもよい。
【発明の効果】
【００１３】
本発明の請求項１に記載のタバコケースによれば、タバコケースの内部に吸殻収納部を設けたため、タバコケース本体の大きさを変えずに吸殻入れを設けることができるので、持ち運びが便利である。
【００１４】
また、請求項２に記載のタバコケースによれば、吸殻投入口に開閉蓋を設けたため、不使用時に吸殻が飛び出すことがないので、衣服のポケットや鞄を灰で汚すこともない。
また、請求項３に記載のタバコケースによれば、吸殻収納部が袋体であって、吸殻収納部をタバコケース内に折りたたんでおくことができるので、通常のタバコケースと同様に２０本のタバコを入れておくことができるとともに、喫煙により空いていくタバコ収納スペースを利用して灰や吸殻を収納することができる。
【００１５】
また、請求項４に記載のタバコケースによれば、開閉蓋の幅がタバコの直径よりやや大きいので、灰をこぼさずに収納部へ落とすことができる。
【００１６】
また、請求項５に記載のタバコケースによれば、タバコケースの内部に吸殻収納部を設けたため、タバコケース本体の大きさを変えずに吸殻入れを設けることができるので、持ち運びが便利であるだけでなく、上部から吸殻を投入することができるので、使い勝手がよい。
【００１７】
ここで、請求項６に記載のタバコケースによれば、吸殻収納部が袋体であって、吸殻収納部をタバコケース内に折りたたんでおくことができるので、通常のタバコケースと同様に２０本のタバコを入れておくことができるとともに、喫煙により空いていくタバコ収納スペースを利用して灰や吸殻を収納することができる。
【００１８】
また、請求項７に記載のタバコケースによれば、ファスナにより吸殻収納部の開口部を閉じておくので、吸殻が飛散することがなく、かつ、水が漏れることもなく、臭いを防止することができる。
【発明を実施するための最良の形態】
【００１９】
以下、本発明の好適な実施形態について図１〜図４を参照して説明する。図１は本発明に係るタバコケースの概略を示す構成図であり、（ａ）は正面図、（ｂ）は右側面図である。図２はタバコケースの横断面図である。図３は、上記タバコケースとタバコの位置関係を模式的に表す斜視図である。図４は、上記タバコケースの変形例を示す構成図であり、（ａ）は平面図、（ｂ）は横断面図、（ｃ）は右側面図である。
【実施例１】
【００２０】
タバコケースの本体１は、紙製の箱体からなり、下部のケース２と、前記ケース２と一体的に形成された蓋体３により構成されている。本体１はタバコ１本分とほぼ同じ長さで、タバコが３列に２０本並ぶ大きさを有している。
【００２１】
前記ケース２は、有底筒状の四角柱からなり、その１側面４に、１辺がタバコケース側面４の幅より少し短い四角形からなる吸殻投入口５が形成されており、前記吸殻投入口５の内側には、吸殻収納部である袋体６が、接着剤により端面を側面４の内側４ａに接着されている。これにより、吸殻投入口５よりタバコ31の先端を差込み、その灰を袋体６に入れることが可能となる。
【００２２】
この前記袋体６は、非鉄金属その他の難燃性又は不燃性の素材で、十分な薄さを有し、折りたたみ可能であって、側面４の内側４ａに接着されている。これにより、ケース２内にタバコが２０本入っている時にも、袋体６をケース２内に収納しておくことができ、かつ、タバコ31を吸うことにより、ケース２内にできるスペースを利用して灰や吸殻を収納することができる。
【００２３】
また、前記吸殻投入口５の外側には、本体１を構成するのと同じ紙で形成された開閉蓋11が設けられており、ケース２を覆っている図示しないセロハンケースを下げることによって前記開閉蓋11を開け、また、前記セロハンケースを上げることによって前記開閉蓋11を閉め、吸殻入れ部を密封することができるので、不使用時に袋体６内の灰や吸殻の飛び出しや臭いを防止するばかりでなく、吸殻の不快な臭いも漏洩せず、ポケットなどが汚れるのを防ぐことができる。
【００２４】
開閉蓋11は、吸殻投入口５と同じ大きさを有し本体１の側面４と一体的に形成された蓋部12と、コの字形の腕体13とからなる。なお、蓋部12を閉めた状態において吸殻開口部５との間に隙間を生じさせない形状にするとともに、両者が接する部分の密封を保つため必要であれば前記蓋部又は吸殻開口部のいずれか一方又は両方の接触面に樹脂等の塗布加工をしても良い。前記蓋部12と前記腕体13は別体により構成され、腕体13の底部14が蓋部12の内側に接着剤等により接着され、側部15は蓋部12と直角をなし、その先端には突起部16が形成され、前記側部15は吸殻投入口５の内側４ａに挿入されている。これにより、開閉蓋11が全開時に前記突起部16が前記吸殻投入口５の上端面７の内側に引っかかることで、開閉蓋11の外れを防止し、ストッパーの役割を果たしている。また、前記腕体13の内側表面13Aには耐熱性のアルミニウムなどを張り合わせてもよい。
【００２５】
尚、図４に示されるように、前記開閉蓋にはロック機構19を設けてもよい。前記ロック機構19は、前記蓋体12の上端に突起部17を設け、側面４の前記突起部17に対応する位置に切り込み18が形成されている。これにより、開閉蓋11を閉じるときに、前記突起部17を前記切り込み18に挿入することにより、不用意に開閉蓋11が開くことがなくなるので、前記袋体６に収納されている吸殻や灰がこぼれることがない。
【００２６】
また、前記開閉蓋11の蓋体12の外側に第１の火消し部24を設けてもよい。前記火消し部24は、耐熱性、難燃性の素材からなり、例えば、金具からなる図示しない網状体であって、開閉蓋の外側表面に接着剤により接着されている。これにより、火消し部24において容易にタバコ31の火を消すことが可能になる。
【００２７】
さらに、第２の火消し部25を、前記腕体13の底部14の内側に設置してもよい。これにより、火のついたタバコ31の先を吸殻投入口５の奥へ差し込んで袋体６に灰を落とす際に、火消し部25が邪魔にならず、火を消す際に生じる灰を袋体６へ落とすことができ、本体１の外観を汚すこともない。尚、図４においては、第１、および第２の火消し部24,25を図示したが、１個のタバコケースにつき少なくともどちらか一方を備えていればよいことはいうまでもない。
【００２８】
このように本実施例においては、請求項１に対応して、複数の紙巻タバコを並べてタバコケース本体に収納するタバコケースにおいて、前記タバコケース本体１の側面４に吸殻投入口５を設け、前記吸殻投入口５に連通して該タバコケース本体１の内部に吸殻収納部６を設けたから、タバコケース本体１の大きさを変えずに吸殻入れを設けることができるので、持ち運びが便利になる。
【００２９】
また、このように本実施例においては、請求項２に対応して、前記投入口５に開閉蓋11を設けたから、不使用時に吸殻が飛び出すことがないので、衣服のポケットや鞄を灰で汚すこともない。
【００３０】
また、このように本実施例においては、請求項３に対応して、前記収納部は袋体６であって、幅が前記側面の幅とほぼ同じであり、折りたたみ可能であって、薄く難燃性を有する素材からなるから、収納部６をケース２内に折りたたんでおくので、通常のタバコケースと同じ大きさでありながら、同様に所定数、例えば２０本のタバコ31を入れておくことができる。仮に、前記袋体を折りたたんだ状態にするとタバコケース内に２０本のタバコを収納することが出来ないのであれば、適宜タバコ本数を減じても良い。
【００３１】
また、このように本実施例においては、請求項４に対応して、前記開閉蓋11の幅がタバコ31の直径より大きいから、灰をこぼさずに収納部へ落とすことができる。
【実施例２】
【００３２】
次に、本発明に係るタバコケースの別の実施形態について、図５を参照して説明する。図５は、別の実施形態の概略を示す横断面図である。尚、上記実施例と同様の構成については同様の符号を付し、簡単のため説明を省略する。
【００３３】
開閉蓋11は、蓋部12と腕体41により構成され、腕体41は底部42において蓋部12の内側に接着剤等により接着されている。腕体41の側部43は底部42に対し鋭角に内方へ傾斜して設けられ、開閉蓋11を全開にしたときに、底部42と両側部43とにより形成される空間が、タバコ１本の直径よりやや大きくなるように設けられている。
【００３４】
これにより、斜め上方から吸殻投入口５へタバコ31を差し込みやすくなり、スムーズに灰を落とすことができる。また、側部43は、開閉蓋11を閉じた時には側部43が内方へ折れ曲がり、蓋部12と袋体６との間に収納されるため、不使用時に開閉蓋11が邪魔になることがない。
【実施例３】
【００３５】
次に、本発明に係るタバコケースのさらなる別の実施形態について、図６を参照して説明する。尚、上記実施例と同様の構成については同様の符号を付し、簡単のため説明を省略する。
【００３６】
タバコケースの本体１にはタバコ31が複数本収納されており、その１側面に袋体６が設けられている。前記袋体６は上部が開口している有底筒状であって、ケース２の幅方向に折りたたみ可能に形成されているため折りたたみ可能であり、その上端の１の側面61aにおいてケース２の側面４の内側４ａに接着されている。
【００３７】
このような構成により、袋体６を使用しないときは側面に折りたたんでおくことができるので、タバコ31を所定数ケース２内に収納でき、さらに、喫煙によって収納されているタバコ31の本数が減じる結果、スペースが形成され、該スペースに折りたたんでおいた袋体６を広げて使用することができので、ケース２の内容積を効率よく使用することができるものである。
【００３８】
また、前記袋体６の上端開口部63には保持及び解除可能な留め具であるファスナ62a,62bが設けられている。該ファスナ62a,62bは、例えば密閉することができるスライド式のファスナを用いることができる。すなわち、１の側面61aに設けられた雌型のファスナ62aが、それに対向する他の側面61bに設けられた雄型のファスナ62bと係着するようになっている。これによって、開口部63を係着して閉じておくことができるので、吸殻や灰がこぼれたりすることがなく、汚れや臭いを防止することができるだけでなく、袋体６に火消し用の水を入れておいても、ファスナ62a,62bを閉じておくことで密閉できるので、水がこぼれることがない。尚、留め具は上記したファスナに限定されるものではなく、面ファスナなど保持及び解除可能なものであれば良いことは言うまでもない。さらに、留め具はタバコの火によって形状が変化してしまうのを防止するため、耐熱性の素材により形成されるのが好ましい。
【００３９】
また、前記袋体６の内側に火消し部25を設けてもよい。これにより、火のついたタバコ31の火を消す際にも袋体６内に灰を落としながら火を消すことができるので、外部を汚さずにタバコの火を消すことができる。
【００４０】
また、別の実施形態として、図７に示すように蓋体を有しないソフトパックのタバコケース71においても、実施することが可能である。すなわち、タバコケースの本体72は、図示しないタバコが複数本収納されており、その１側面に袋体６を設けてもよい。
【００４１】
このように本実施例においては、請求項５に対応して、複数の紙巻タバコを並べてタバコケース本体に収納するタバコケースにおいて、上部が開口している前記吸殻収納部６を前記タバコケース側面４の内側4aに設けたから、タバコケース本体１の大きさを変えずに吸殻入れを設けることができるので、持ち運びが便利であるだけでなく、上部から吸殻を投入することができるので、使い勝手がよい。
【００４２】
また、このように本実施例においては、請求項６に対応して、前記吸殻収納部６は袋体であって、幅が前記側面４の幅とほぼ同じであり、折りたたみ可能であって、薄く難燃性を有する素材からなるから、吸殻収納部６をケース２内に折りたたんでおくので、通常のタバコケースと同じ大きさでありながら、同様に所定数、例えば２０本のタバコ31を入れておくことができる。仮に、前記袋体を折りたたんだ状態にするとタバコケース内に２０本のタバコを収納することが出来ないのであれば、適宜タバコの本数を減じても良い。
【００４３】
また、このように本実施例においては、請求項７に対応して、前記吸殻収納部６の上端開口部に保持及び解除可能な留め具62a,62bを設けたから、留め具62a,62bにより吸殻収納部６の開口部63を閉じておくことができるので、吸殻が飛散することがなく、しかも臭いを防止することができる。
【００４４】
以上、本発明のタバコケースについて説明してきたが、本発明は上述した実施形態に限定されるものではなく、本発明の要旨の範囲内で種々の変形実施が可能である。例えば、吸殻投入口は側面ではなく、正面や背面に設けてもよく、複数の投入口を設けてもよい。
【図面の簡単な説明】
【００４５】
【図１】本発明に係るタバコケースの概略を示す構成図で、（ａ）は正面図、（ｂ）は側面図である。
【図２】上記タバコケースの横断面図である。
【図３】上記タバコケースとタバコの位置関係を模式的に表す斜視図である。
【図４】上記別の実施形態を示す構成図で、（ａ）は横断面図、（ｂ）は正面図、（ｃ）は側面図である。
【図５】本発明に係る第２実施例を示す構成図で、（ａ）は正面図、（ｂ）は側面図である。
【図６】本発明に係る第３実施例を模式的に示す斜視図である。
【図７】同上、別の実施形態を模式的に示す斜視図である。
【図８】従来例を示す構成図で、（ａ）は正面図、（ｂ）は側面図である。
【符号の説明】
【００４６】
１    本体（タバコケース）
４    側面
４ａ    内面
５    吸殻投入口
６    袋体（吸殻収納部）
11    開閉蓋
62a,62b  ファスナ（留め具）
63  開口部
【図１】
2005102679.tif 000003
【図２】
2005102679.tif 000004
【図３】
2005102679.tif 000005
【図４】
2005102679.tif 000006
【図５】
2005102679.tif 000007
【図６】
2005102679.tif 000008
【図７】
2005102679.tif 000009
【図８】
2005102679.tif 000010